(57)【要約】【課題】少しの力がケ−ブルに作用しただけではプラグが器機側から外れることがなく、ケ−ブルに手や足等が少し引っ掛かったくらいではデ−タの転送等に支障は生じないけれども、大きな力がケ−ブルに作用した場合にはプラグが器機側から外れ、本発明をＵＳＢコネクタに適用してもパソコン本体等を損傷させてしまう危険性がなく、また適用プラグ寸法に幅を持たせることができ、汎用性が高く、安価で、寸法も小さく、嵩張らず、小さな取付けスペ−スしか必要とせず、さらには取付け、取外しも容易で手間取ることのないプラグの抜け止め具を提供すること。【解決手段】平板状の本体１１の前部両側から湾曲部１２を介して押え片１３を延設する一方、本体１１の後端部から引っ掛け部１４を押え片１３の延設方向とは逆方向に延設する。【選択図】  図１
2004356079.tif 000002
【特許請求の範囲】
【請求項１】
平板状の本体の前部両側から湾曲部を介して押え片が延設される一方、前記本体後端部から引っ掛け部が前記押え片の延設方向とは逆方向に延設されていることを特徴とするプラグの抜け止め具。
【請求項２】
前記押え片が前記本体の中心側に屈曲した屈曲部を有することを特徴とする請求項１記載のプラグの抜け止め具。
【請求項３】
前記屈曲部にプラグに食い込ますための食い込み孔が形成されていることを特徴とする請求項１又は請求項２記載のプラグの抜け止め具。
【請求項４】
ステンレス製薄板で形成されていることを特徴とする請求項１〜３のいずれかの項に記載のプラグの抜け止め具。
【請求項５】
平板状の本体の両側から屈曲部を介して押え片が延設され、該押え片の後端部からは前記本体と平行方向外側に向かって引っ掛け部が延設されていることを特徴とするプラグの抜け止め具。
【請求項６】
前記本体の後端部から位置決め用当接片が延設されていることを特徴とする請求項５記載のプラグの抜け止め具。
【請求項７】
前記押え片の端部に折り曲げ加工が施されて取外し部が形成されていることを特徴とする請求項５記載又は請求項６記載のプラグの抜け止め具。
【請求項８】
前記本体の内側面にプラグへの取付力を高めるためのプラグとの係合手段が貼着されていることを特徴とする請求項１〜７のいずれかの項に記載のプラグの抜け止め具。
【請求項９】
前記係合手段が複数回の貼着、剥離が可能である貼着剥離手段であることを特徴とする請求項８記載のプラグの抜け止め具。
【発明の詳細な説明】
【０００１】
【発明の属する技術分野】
本発明はプラグの抜け止め具に関し、より詳細には、ＵＳＢ（Ｕｎｉｖｅｒｓａｌ  Ｓｅｒｉａｌ  Ｂｕｓ）コネクタ等を構成するプラグの抜け止め具に関する。
【０００２】
【従来の技術】
図８は従来のこの種プラグの抜け止め具の一例としての下記の特許文献１に記載のプラグの抜け止めカバ−を示すもので、プラグを器機側に差し込んだ状態のプラグの周辺部分を示す斜視図である。
【０００３】
図中８０は抜け止めカバ−を示しており、抜け止めカバ−８０は器機側に取付ける器機取付け部８１、蝶番固定側８２、蝶番可動側８３、蝶番軸８４、蝶番バネ８５、切り起こし８６、プラグ係止部８７を含んで構成されている。プラグ８８を器機側に差し込む際には、蝶番バネ８５のばね力を利用して蝶番可動側８３を上方に回動させておき、プラグ８８を器機側に差し込んだ後、蝶番可動側８３を下方に回動させてプラグ係止部８７をプラグ８８の後ろ面に係止させてプラグ８８の抜けを防止するようになっている。
【０００４】
また、図９は従来のこの種プラグの抜け止め具の他の一例としての下記の特許文献２に記載のプラグの抜け止めカバ−を示すもので、プラグを器機側に差し込んだ状態のプラグの周辺部分を示す斜視図である。
【０００５】
図中９０は抜け止めカバ−を示している。抜け止めカバ−９０は器機側に取付ける器機取付け部９１と、２分割されたプラグ係止部９２とを含んで構成されており、プラグ９８を差し込む際には、螺子９３を取り外し、プラグ係止部９２を上下に大きく開いた状態にしておき、プラグ９８を器機側に差し込んだ後、プラグ係止部９２を回動させて閉じた状態とし、その後螺子９３を器機側に螺子止めし、プラグ９８の後ろ面からプラグ係止部９２を係止させてプラグ９８の抜けを防止するようになっている。
【０００６】
【特許文献１】
特開平９−１４７９８０号公報
【特許文献２】
特開平１０−９２５１１号公報
【０００７】
【発明が解決しようとする課題】
ＵＳＢコネクタ等の場合、ケ−ブルに手や足等が引っ掛かり、ＵＳＢコネクタに負荷が作用すると、ＵＳＢコネクタが搭載されたパソコン本体側が台から落下して損傷が生じたりしないように、ＵＳＢコネクタを構成するプラグ側がわざと容易に抜けるような規格になっている。
【０００８】
上記した従来の抜け止めカバ−８０、９０のいずれの場合も、抜け止めカバ−８０、９０を器機側に取付けた後は、少々の力がケ−ブルに作用したとしてもプラグ８８、プラグ９８が器機側から外れることがなく、抜け止めカバ−８０、９０をＵＳＢコネクタに適用した場合、パソコン本体側を床等に落下させて損傷させてしまう危険性が高いといった課題があった。
【０００９】
また、上記した従来の抜け止めカバ−８０、９０のいずれの場合も、プラグ８８、プラグ９８の器機側からの張出し寸法に蝶番可動側８３寸法、あるいはプラグ係止部９２寸法を正確に合わせておかなければならず、抜け止めカバ−８０、９０の汎用性に問題があった。
【００１０】
さらには抜け止めカバ−８０、９０のいずれの場合も、複数の部品で構成されており、コストも高く付き、寸法も大きくなり易く、嵩張り、大きな取付けスペ−スを要するといった課題もあった。さらには抜け止めカバ−８０、９０の器機側への取付けも螺子止め等しなければならず、取付けが面倒で手間取るといった課題もあった。
【００１１】
本発明は上記課題に鑑みなされたものであって、少しの力がケ−ブルに作用しただけではプラグが器機側から外れることがなく、ケ−ブルに手や足等が少し引っ掛かったくらいではデ−タの転送等に支障は生じないけれども、大きな力がケ−ブルに作用した場合にはプラグが器機側から外れ、本発明をＵＳＢコネクタに適用してもパソコン本体等を損傷させてしまう危険性がなく、また適用プラグ寸法に幅を持たせることができ、汎用性が高く、安価で、寸法も小さく、嵩張らず、小さな取付けスペ−スしか必要とせず、さらには取付け、取外しに手間取ることのないプラグの抜け止め具を提供することを目的としている。
【００１２】
【課題を解決するための手段及びその効果】
上記目的を達成するために、本発明に係るプラグの抜け止め具（１）は、平板状の本体の前部両側から湾曲部を介して押え片が延設される一方、前記本体後端部から引っ掛け部が前記押え片の延設方向とは逆方向に延設されていることを特徴としている。
上記したプラグの抜け止め具（１）によれば、前記湾曲部でプラグの両側面を適切な力で押えることができ、また前記引っ掛け部で器機側に適切な力で引っ掛けておくことができ、少しの力がケ−ブルに作用しただけではプラグが器機側から外れることがないけれども、大きな力がケ−ブルに作用した場合にはプラグが器機側から外れるものとすることができる。従って、本発明をＵＳＢコネクタに適用してもパソコン本体等を損傷させてしまう危険性がなく、またプラグ長さに寸法を合わせる必要がなく、しかも前記押え片が前記湾曲部を介して延設されているので、適用プラグ寸法に幅を持たせることができ、汎用性が高いものとすることができる。また単部品で構成され、安価で、寸法も小さく、嵩張らず、小さな取付けスペ−スしか必要とせず、さらには取付けも螺子止め等を必要とせず、取付け、取外しも容易で手間取ることのないものとすることができる。
【００１３】
また、本発明に係るプラグの抜け止め具（２）は、上記プラグの抜け止め具（１）において、前記押え片が前記本体の中心側に屈曲した屈曲部を有することを特徴としている。
上記したプラグの抜け止め具（２）によれば、前記押え片によるプラグの押え込み状態をより良好なものとすることができる。
【００１４】
また、本発明に係るプラグの抜け止め具（３）は、上記プラグの抜け止め具（１）又は（２）において、前記屈曲部にプラグに食い込ますための食い込み孔が形成されていることを特徴としている。
上記したプラグの抜け止め具（３）によれば、前記押え片によるプラグの押え込み状態をより適切なものとすることができる。
【００１５】
また、本発明に係るプラグの抜け止め具（４）は、上記プラグの抜け止め具（１）〜（３）のいずれかにおいて、ステンレス製薄板で形成されていることを特徴としている。
上記したプラグの抜け止め具（４）によれば、ステンレスが有する弾性力、強靭性を利用して前記押え片によるプラグの押え込み状態をより良好なものとすることができ、しかも適用プラグ寸法により幅を持たせることができ、汎用性を高め、また安価で、寸法も小さく、嵩張らず、小さな取付けスペ−スしか必要としないものとすることができる。
【００１６】
また、本発明に係るプラグの抜け止め具（５）は、平板状の本体の両側から屈曲部を介して押え片が延設され、該押え片の後端部からは前記本体と平行方向外側に向かって引っ掛け部が延設されていることを特徴としている。
上記したプラグの抜け止め具（５）によれば、前記押え片でプラグの両側面を適切な力で押えることができ、また前記引っ掛け部で器機側に適切な力で引っ掛けておくことができ、少しの力がケ−ブルに作用しただけではプラグが器機側から外れることがないけれども、大きな力がケ−ブルに作用した場合にはプラグが器機側から外れるものとすることができる。従って、本発明をＵＳＢコネクタに適用してもパソコン本体等を損傷させてしまう危険性がなく、またプラグ長さに寸法を合わせる必要がなく、しかも適用プラグ寸法に幅を持たせることができ、汎用性が高いものとすることができる。また単部品で構成され、安価で、寸法も小さく、嵩張らず、小さな取付けスペ−スしか必要とせず、さらには取付けも螺子止め等を必要とせず、取付け、取外しも容易で手間取ることのないものとすることができる。
【００１７】
また、本発明に係るプラグの抜け止め具（６）は、上記プラグの抜け止め具（５）において、前記本体の後端部から位置決め用当接片が延設されていることを特徴としている。
上記したプラグの抜け止め具（６）によれば、プラグの抜け止め具が必要以上に機器側に入り込んでしまうことを阻止することができる。
【００１８】
また、本発明に係るプラグの抜け止め具（７）は、上記プラグの抜け止め具（５）又は（６）において、前記押え片の端部に折り曲げ加工が施されて取外し部が形成されていることを特徴としている。
上記したプラグの抜け止め具（７）によれば、機器側からプラグを取外す際、前記取外し部を利用してプラグの抜け止め具をプラグから容易に取外すことができ、プラグを機器側から容易に取外すことができる。
【００１９】
また、本発明に係るプラグの抜け止め具（８）は、上記プラグの抜け止め具（１）〜（７）のいずれかにおいて、前記本体の内側面にプラグへの取付力を高めるためのプラグとの係合手段が貼着されていることを特徴としている。
上記したプラグの抜け止め具（８）によれば、プラグの抜け止め具のプラグに対する取付け力を高めることができるので、多少の力がケ−ブルに作用してもプラグが器機側から外れることを阻止することができる。
【００２０】
また、本発明に係るプラグの抜け止め具（９）は、上記プラグの抜け止め具（８）において、前記係合手段が複数回の貼着、剥離が可能である貼着剥離手段であることを特徴としている。
上記したプラグの抜け止め具（９）によれば、前記係合手段を簡単に構成することができ、しかも適切な取付け力を維持することが容易となる。また、前記係合手段を安価に構成することができる。
【００２１】
【発明の実施の形態】
以下、本発明に係るプラグの抜け止め具の実施の形態を図面に基づいて説明する。なお、従来例と同一の機能を有する構成部品には同一の符号を付してその説明を省略することとする。
図１は本発明の実施の形態に係るプラグの抜け止め具を示す斜視図、図２（ａ）は平面図、（ｂ）は正面図、（ｃ）は側面図である。
【００２２】
図中、１０はプラグの抜け止め具を示しており、プラグの抜け止め具１０は厚さ０．１〜０．６ミリ程度のステンレス製薄板で形成されており、全体的に弾性を有している。プラグの抜け止め具１０は平面視Ｔ字形状の本体１１を有しており、本体１１の前部両側からは湾曲部１２、１２を介して押え片１３、１３が延設されており、押え片１３はそれぞれ内側に屈曲した屈曲部１３ａを有し、屈曲部１３ａの中央部には食込み孔１３ｂが形成されている。本体１１の後端部からは斜め前方上側に向って正面視略矩形形状をした引っ掛け部１４が延設されている。
【００２３】
図３は実施の形態に係るプラグの抜け止め具を使用してＵＳＢプラグを器機側のＵＳＢコネクタに差し込んだ状態を示す部分断面側面図である。
プラグの抜け止め具１０を使用してＵＳＢプラグ２０を器機側のＵＳＢコネクタ２２に差し込んだ状態では、プラグの抜け止め具１０の押え片１３がＵＳＢプラグ２０の側面２０Ａをしっかりと押え込んでおり、また押え片１３がＵＳＢプラグ２０の側面２０Ａに食い込んだ状態となっている。また引っ掛け部１４が器機側壁２３の内側に係止されており、ケ−ブル２１やＵＳＢプラグ２０に少々の引き抜く方向の力（図３における矢印Ａと反対方向の力）が作用したとしてもＵＳＢプラグ２０がＵＳＢコネクタ２２から簡単に外れることはない。従って人が多く行き交う工場内等に器機が配置され、ケ−ブル２１に手や足等が少し引っ掛かったくらいではＵＳＢプラグ２０がＵＳＢコネクタ２２から外れることがなく、デ−タの転送等に支障を生じさせることがない。
【００２４】
しかしながら、ケ−ブル２１やＵＳＢプラグ２０に大きな引き抜く方向の力が作用した場合には、プラグの抜け止め具１０の押え片１３による押え込みに抗してＵＳＢプラグ２０が外れ、あるいは引っ掛け部１４が器機側壁２３から引き抜かれ、結果としてＵＳＢプラグ２０がＵＳＢコネクタ２２から外れることとなる。従って、地震等が発生してもケ−ブル２１側から器機側に大きな力が作用するのを未然に阻止して器機が載置されていた台から落下したりして器機側に大きな損傷が生じるのを防ぐことができる。
【００２５】
また、ＵＳＢプラグ２０をＵＳＢコネクタ２２に差し込む際には、プラグの抜け止め具１０の引っ掛け部１４を器機側壁２３の内側に隙間２４から挿入しておき、ＵＳＢプラグ２０をＵＳＢコネクタ２２に差し込みながら、本体１１を図中矢印Ｂ方向下方に回動させながら押え片１３をＵＳＢプラグ２０の側面２０Ａに嵌込み取付ければよい。この取付けはドライバ等の工具を用いることなくワンタッチで極めて簡単に行うことができる。
【００２６】
またＵＳＢプラグ２０をＵＳＢコネクタ２２から外す際にも、プラグの抜け止め具１０の引っ掛け部１４を器機側壁２３の内側に係止させた状態から、本体１１を図中矢印Ｂ方向上方に回動させながら押え片１３をＵＳＢプラグ２０の側面２０Ａから離脱させながらＵＳＢプラグ２０を矢印Ａと反対方向に引き抜くことにより、ＵＳＢプラグ２０をＵＳＢコネクタ２２から取り外すことができる。この取り外しもドライバ等の工具を用いることなくワンタッチで極めて簡単に行うことができる。
【００２７】
上記した実施の形態に係るプラグの抜け止め具１０によれば、湾曲部１２でＵＳＢプラグ２０の両側面２０Ａを適切な力で押えることができ、また引っ掛け部１４で器機側に適切な力で引っ掛けておくことができ、少しの力がケ−ブル２１に作用しただけではＵＳＢプラグ２０が器機側から外れることがないけれども、大きな力がケ−ブルに作用した場合にはＵＳＢプラグ２０が器機側から外れるものとすることができる。従って、器機としてのパソコン本体等を損傷させてしまう危険性がなく、またＵＳＢプラグ２０のプラグ長さに寸法を合わせる必要がなく、しかも押え片１３が湾曲部１２を介して延設されているので、適用プラグ寸法に大きく幅を持たせることができ、汎用性の高いものとすることができる。また単部品で構成されているので、安価で、寸法も小さく、嵩張らず、小さな取付けスペ−スしか必要とせず、さらには取付けも螺子止め等を必要とせず、取付け、取外しも極めて容易で手間取ることのないものとすることができる。
【００２８】
また、プラグの抜け止め具１０には、屈曲部１３ａにＵＳＢプラグ２０に食い込ますための食い込み孔１３ｂが形成されているので、押え片１３によるＵＳＢプラグ２０の押え込み状態をより適切なものとすることができる。また、プラグの抜け止め具１０がステンレス製薄板で形成されているので、ステンレスが有する弾性力、強靭性を利用して押え片１３によるＵＳＢプラグ２０の押え込み状態を良好なものとすることができる。
【００２９】
図４は本発明の別の実施の形態に係るプラグの抜け止め具を示す斜視図、図５（ａ）は平面図、（ｂ）は正面図、（ｃ）は側面図である。
図中、４０はプラグの抜け止め具を示しており、プラグの抜け止め具４０は図１に示した実施の形態の場合と同様に厚さ０．１〜０．６ミリ程度のステンレス製薄板で形成されており、全体的に弾性を有している。プラグの抜け止め具４０は平面視矩形形状の本体４１を備えており、本体４１の両側からは湾曲部４２、４２を介して押え片４３、４３が延設されており、押え片４３の前部にはそれぞれ内側に打ち抜き屈曲形成された押圧片４３ａが形成されている。また押え片４３、４３の下端部からは斜め下外側に向って取外し片４４が延設され、また押え片４３、４３の後端部からは本体４１と平行方向外側に向かって引っ掛け部４５、４５が延設されている。また、本体４１の後端部からは機器に対する位置決め用の当接片４６が延設されており、さらに本体４１の内側面にはプラグ２０への取付力を高めるためのプラグ２０との係合手段としてのマジックテープ（登録商標）４７が貼着されている。
【００３０】
図６は本実施の形態に係るプラグの抜け止め具４０を使用してＵＳＢプラグ２０を器機側のＵＳＢコネクタ２２に差し込んだ状態を示す部分断面側面図であり、図７はプラグの抜け止め具４０を使用してＵＳＢプラグ２０を器機側のＵＳＢコネクタ２２に差し込む前の状態を示す部分断面側面図である。
プラグの抜け止め具４０を使用してＵＳＢプラグ２０を器機側のＵＳＢコネクタ２２に差し込んだ状態では、プラグの抜け止め具４０の押え片４３がＵＳＢプラグ２０の側面２０Ａをしっかりと押え込んでおり、また押圧片４３ａがＵＳＢプラグ２０の側面２０Ａを強く押した状態となっている。さらには本体４１の内側面に貼着されたマジックテープ（登録商標）４７がプラグ２０の上面に貼着されたマジックテープ（登録商標）４８と結合しており、プラグの抜け止め具４０とＵＳＢコネクタ２２との結合力が高められている。
【００３１】
また引っ掛け部４４が器機側壁２３の内側に係止されており、ケ−ブル２１やＵＳＢプラグ２０に少々の引き抜く方向の力（図６における矢印Ａと反対方向の力）が作用したとしてもＵＳＢプラグ２０がＵＳＢコネクタ２２から簡単に外れることはない。従って人が多く行き交う工場内等に器機が配置され、ケ−ブル２１に手や足等が少し引っ掛かったくらいではＵＳＢプラグ２０がＵＳＢコネクタ２２から外れることがなく、デ−タの転送等に支障を生じさせることがない。
【００３２】
しかしながら、ケ−ブル２１やＵＳＢプラグ２０に大きな引き抜く方向の力が作用した場合には、プラグの抜け止め具４０の押え片４３による押え込み力＋マジックテープ（登録商標）４７とマジックテープ（登録商標）４８との結合力に抗してＵＳＢプラグ２０がプラグの抜け止め具４０から外れ、あるいは引っ掛け部４５が器機側壁２３から引き抜かれ、結果としてＵＳＢプラグ２０がＵＳＢコネクタ２２から外れることとなる。
【００３３】
また、ＵＳＢプラグ２０をＵＳＢコネクタ２２に差し込む際には、図７に示したようにＵＳＢプラグ２０とプラグの抜け止め具４０とを離して位置させた状態から、プラグの抜け止め具４０の引っ掛け部４５を、器機側壁２３の内側に引っ掛け部４５の形状に合わせて器機側壁２３に形成しておいた切欠き部（図示せず）から挿入しておき、ＵＳＢプラグ２０をＵＳＢコネクタ２２に差し込みながら、プラグの抜け止め具４０の本体４１を図中矢印Ｂ方向下方に回動させながら押え片４３をＵＳＢプラグ２０の側面２０Ａに嵌込み、マジックテープ（登録商標）４７とマジックテープ（登録商標）４８とを結合させて取付ける。この取付けはドライバ等の工具を用いることなくワンタッチで極めて簡単に行うことができる。
【００３４】
またＵＳＢプラグ２０をＵＳＢコネクタ２２から外す際にも、プラグの抜け止め具４０の引っ掛け部４５を器機側壁２３の内側に係止させた状態から、本体４１を図中矢印Ｂ方向上方に回動させながらマジックテープ（登録商標）４７とマジックテープ（登録商標）４８との結合を解き、同時に押え片４３をＵＳＢプラグ２０の側面２０Ａから離脱させながらＵＳＢプラグ２０を矢印Ａと反対方向に引き抜くことにより、ＵＳＢプラグ２０をＵＳＢコネクタ２２から取り外すことができる。この取り外しもドライバ等の工具を用いることなくワンタッチで極めて簡単に行うことができる。
【００３５】
上記した実施の形態に係るプラグの抜け止め具４０によれば、プラグの抜け止め具４０の押え片４３がＵＳＢプラグ２０の側面２０Ａをしっかりと押え込んでおり、また押圧片４３ａがＵＳＢプラグ２０の側面２０Ａを強く押した状態となっており、さらには本体４１の内側面に貼着されたマジックテープ（登録商標）４７がプラグ２０の上面に貼着されたマジックテープ（登録商標）４８と結合しており、プラグの抜け止め具４０とＵＳＢコネクタ２２との結合力が高められている。また引っ掛け部４５で器機側に適切な力で引っ掛けておくことができ、少しの力がケ−ブル２１に作用しただけではＵＳＢプラグ２０が器機側から外れることがない。しかし、大きな力がケ−ブル２１に作用した場合にはＵＳＢプラグ２０が器機側から外れるものとすることができる。従って、器機としてのパソコン本体等を損傷させてしまう危険性がなく、またＵＳＢプラグ２０のプラグ長さに本体４１の寸法を合わせる必要がなく、適用プラグ寸法に大きく幅を持たせることができ、汎用性の高いものとすることができる。また部品の構成が簡単であり、安価に製作でき、寸法も小さく、嵩張らず、小さな取付けスペ−スしか必要とせず、さらには取付けも螺子止め等を必要とせず、取付け、取外しも極めて容易で手間取ることのないものとすることができる。
【００３６】
また、プラグの抜け止め具４０がステンレス製薄板で形成されているので、ステンレスが有する弾性力、強靭性を利用して押え片４３によるＵＳＢプラグ２０の押え込み状態を良好なものとすることができる。
【００３７】
尚、上記実施の形態に係るプラグの抜け止め具１０、４０では、プラグの抜け止め具１０、４０がステンレス製薄板で形成された場合について説明したが、プラグの抜け止め具１０、４０の形成材料はステンレスに限定されるものではなく、別の実施の形態では、鉄等その他の金属材料を用いたものであってもよく、また強靭性に問題がないものであれば合成樹脂材料を用いて形成したものであってもよい。
【００３８】
また、上記実施の形態の場合、ＵＳＢコネクタ２２が１個だけの場合を例に挙げて説明したが、器機側にＵＳＢコネクタ２２が上下方向に多段に配置されたものであってもプラグの抜け止め具１０、４０をそれぞれのＵＳＢプラグ２０に取付けることにより、本発明を適用することができる。
【００３９】
また、図４に示した実施の形態では、係合手段としてマジックテープ（登録商標）４７が採用された例を挙げているが、係合手段はマジックテープ（登録商標）に限定されるものではなく、複数回の結合、剥離が可能な他の手段であってもよく、例えば、複数回の結合、剥離が可能なテープ状の粘着性を有する貼着、剥離手段であってもよい。また、別の実施の形態では、押圧片４３ａや取外し片４４はなくてもよい。
【図面の簡単な説明】
【図１】本発明の実施の形態に係るプラグの抜け止め具を示した斜視図である。
【図２】（ａ）は実施の形態に係るプラグの抜け止め具を示す平面図、（ｂ）は正面図、（ｃ）は側面図である。
【図３】実施の形態に係るプラグの抜け止め具を使用してＵＳＢプラグを器機側のＵＳＢコネクタに差し込んだ状態を示す部分断面側面図である。
【図４】本発明の別の実施の形態に係るプラグの抜け止め具を示す斜視図である。
【図５】（ａ）は別の実施の形態に係るプラグの抜け止め具を示す平面図、（ｂ）は正面図、（ｃ）は側面図である。
【図６】別の実施の形態に係るプラグの抜け止め具を使用してＵＳＢプラグを器機側のＵＳＢコネクタに差し込んだ状態を示す部分断面側面図である。
【図７】別の実施の形態に係るプラグの抜け止め具を使用してＵＳＢプラグを器機側のＵＳＢコネクタに差し込む前の状態を示す部分断面側面図である。
【図８】従来のプラグの抜け止め具の一例としての特許文献１に記載のプラグの抜け止めカバ−を示すもので、プラグを器機側に差し込んだ状態のプラグの周辺部分を示す斜視図である。
【図９】従来のプラグの抜け止め具の他の一例としての特許文献２に記載のプラグの抜け止めカバ−を示すもので、プラグを器機側に差し込んだ状態のプラグの周辺部分を示す斜視図である。
【符号の説明】
１０、４０    プラグの抜け止め具
１１、４１    本体
１２、４２    湾曲部
１３、４３    押え片
１３ａ        屈曲部
１４、４５    引掛け部
２２          ＵＳＢコネクタ
４７          マジックテープ（登録商標）
【図１】
2004356079.tif 000003
【図２】
2004356079.tif 000004
【図３】
2004356079.tif 000005
【図４】
2004356079.tif 000006
【図５】
2004356079.tif 000007
【図６】
2004356079.tif 000008
【図７】
2004356079.tif 000009
【図８】
2004356079.tif 000010
【図９】
2004356079.tif 000011